(57)【要約】【課題】複数の空調機を１つの室内に設置して空調領域を分担させる空調方式の場合に、空調領域ごとの空調効率を効率的に高める室内空調制御システムを提供する。【解決手段】空調領域６ごとの使用者８の在席に関する状況を把握する在席状況把握部２と、室内の天井において異なる空調領域６の境界上に配置されたエアーカーテン７と、エアーカーテン７の動作を制御するエアーカーテン制御部３と、を備え、使用者８が在席しない空調領域６に対して、使用者８が在席する空調領域６との境界上に配置されたエアーカーテン７の位置のパターンを記憶する空調領域パターン記憶部４と、を備え、エアーカーテン制御部３は、在席状況把握部２が把握した各空調領域６の在席に関する状況から、使用者８が在席しない空調領域６について、空調領域パターン記憶部４に記憶された位置のエアーカーテン７を動作させて室内空調を制御する。【選択図】図１
2009264619.tif 000002
【特許請求の範囲】
【請求項１】
室内に複数の室内空調機を設置し、室内空調機ごとに担当する空調領域を設定して室内の空調を制御する室内空調制御システムにおいて、
各空調領域における使用者の在席に関する状況を把握する在席状況把握部と、
室内の天井において異なる空調領域の境界上に配置されるエアーカーテンと、
エアーカーテンの動作を制御するエアーカーテン制御部と、を備え、
使用者が在席しない空調領域に対して、使用者が在席する空調領域との境界上に配置されたエアーカーテンの位置のパターンを記憶する空調領域パターン記憶部と、を備え、
エアーカーテン制御部は、在席状況把握部が把握した各空調領域の在席に関する状況から使用者が在席しない空調領域について、空調領域パターン記憶部に記憶された位置のエアーカーテンを動作させて室内空調を制御することを特徴とする室内空調制御システム。
【請求項２】
請求項１に記載の室内空調制御システムであって、在席状況把握部は、各空調領域の照明機器のＯＮ／ＯＦＦ情報から室内の使用者の在席状況を把握し、空調領域パターン記憶部は、照明機器がＯＮである空調領域に対して、照明設備がＯＦＦである空調領域との境界上に配置されたエアーカーテンの位置のパターンを記憶することを特徴とする室内空調制御システム。
【請求項３】
請求項２に記載の室内空調制御システムであって、エアーカーテン制御部は、在席状況把握部が室内の全ての空調領域における照明機器がＯＦＦとなった情報により、室内の全ての使用者が在席しないと把握した場合には、全てのエアーカーテンの動作を停止させることを特徴とする室内空調制御システム。
【請求項４】
請求項１に記載の室内空調制御システムであって、各空調領域に所属する使用者のＩＤ情報を記憶する所属使用者ＩＤ記憶部を備え、在席状況把握部は、入退室管理装置から得られた室内から入退出した使用者のＩＤ情報と、所属使用者ＩＤ記憶部に記憶された使用者のＩＤとから、各空調領域に在席する使用者を把握することを特徴とする室内空調制御システム。
【請求項５】
請求項４に記載の室内空調制御システムであって、エアーカーテン制御部は、在席状況把握部が入退室管理装置から得られた室内から入退出した使用者のＩＤ情報により、室内の全ての使用者が退出したと把握した場合には、全てのエアーカーテンの動作を停止させることを特徴とする室内空調制御システム。
【請求項６】
室内に複数の室内空調機を設置し、室内空調機ごとに担当する空調領域を設定して室内の空調を制御する室内空調制御システムにおいて、
各空調領域の室内空調機に関する使用状況を把握する空調状況把握部と、
室内の天井において異なる空調領域の境界上に配置されるエアーカーテンと、
エアーカーテンの動作を制御するエアーカーテン制御部と、
各空調領域における室内空調機に関する使用状況の組み合わせごとに、動作させる境界上のエアーカーテンのパターンを記憶する空調領域パターン記憶部と、を備え、
エアーカーテン制御部は、空調状況把握部が把握した各空調領域の室内空調機に関する使用状況から空調領域パターン記憶部に記憶された境界上のエアーカーテンを動作させて室内空調を制御することを特徴とする室内空調制御システム。
【請求項７】
請求項６に記載の室内空調制御システムであって、空調状況把握部は、各空調領域の空調運転種別に関する情報を把握し、エアーカーテン制御部は、隣接する空調領域の一方の空調運転種別が暖房運転、冷房運転、送風運転のいずれかであり、他方の空調運転種別が、異なる運転種別である場合には、空調領域パターン記憶部に記憶されたパターンにより、それらの境界上のエアーカーテンを動作させて室内空調を制御することを特徴とする室内空調制御システム。
【請求項８】
請求項６又は７に記載の室内空調制御システムであって、空調状況把握部は、各空調領域の空調運転種別に関する情報を把握し、エアーカーテン制御部は、隣接する空調領域の一方の空調運転種別が暖房運転、冷房運転のいずれかであり、他方の空調運転種別が、運転停止状態である場合には、空調領域パターン記憶部に記憶されたパターンにより、それらの境界上のエアーカーテンを動作させて室内空調を制御することを特徴とする室内空調制御システム。
【請求項９】
請求項６乃至８のいずれか１に記載の室内空調制御システムであって、空調状況把握部は、各空調領域において設定された空調設定温度に関する情報を把握し、エアーカーテン制御部は、隣接する空調領域の一方の空調設定温度と他方の空調設定温度との差が予め設定された範囲を越えた場合には、空調領域パターン記憶部に記憶されたパターンにより、それらの境界上のエアーカーテンを動作させて室内空調を制御することを特徴とする室内空調制御システム。
【請求項１０】
請求項６乃至９のいずれか１に記載の室内空調制御システムであって、エアーカーテン制御部は、空調状況把握部が室内空調機に関する使用状況に関する情報により、室内の全ての室内空調機がＯＦＦされたと把握した場合には、全てのエアーカーテンの動作を停止させることを特徴とする室内空調制御システム。
【請求項１１】
請求項１乃至１０のいずれか１に記載の室内空調制御システムであって、エアーカーテン制御部は、始業時に室内の室内空調機がＯＮとなった場合には、前日の終業時と同じエアーカーテンを動作させることを特徴とする室内空調制御システム。
【発明の詳細な説明】
【技術分野】
【０００１】
本発明は、室内空調制御システムに係り、特に、室内に複数の室内空調機を設置し、室内空調機ごとに担当する空調領域を設定して室内の空調を制御する室内空調制御システムに関する。
【背景技術】
【０００２】
例えば、事務所、工場、研究所、体育館、展示場、百貨店などにおいて、使用者が使用する広い室内空間に複数の室内空調機を設置し、それぞれの室内空調機に分担する空調領域を設定して空調させる方式が採用される場合がある。この場合、省エネルギの観点から、使用者が在席する空調領域の室内空調機だけをＯＮにし、使用者が在席しない空調領域の室内空調機をＯＦＦにするという運用がなされる場合がある。
【０００３】
一方、特許文献１には、天井取付形空気調和機が開示されている。ここでは、特定ゾーンの空調を行う運転指令を空調ゾーン切換制御部に入力すると、特定ゾーン側に位置する吹出口では定常運転での空調が行われ、これと連動して反対側の吹出口では吹出開口調節手段が吹出開口面積を狭めて吹出気流を絞り、吹出口から下方に向けてエアーカーテンを形成することが記載されている。
【０００４】
また、特許文献２には、局所空調装置および局所空調方法が開示されている。ここでは、壁に設けた第一の空気吹出口と、この第一の空気吹出口の上方で壁に設けた第二の空気吹出口と、壁に接する床に設けた第一の空気吸込口と、この第一の空気吸込口より反壁側の床に設けた第二の空気吸込口と、第一の空気吹出口に連絡する空調空気供給手段と、第二の空気吹出口に連絡する空調空気供給手段とを備えることが記載されている。
【０００５】
【特許文献１】特開平０７−３１８１５４号公報
【特許文献２】特開２００１−１０８２７４号公報
【発明の開示】
【発明が解決しようとする課題】
【０００６】
使用者が在席する空調領域の室内空調機だけをＯＮにし、使用者が在席しない空調領域の室内空調機をＯＦＦにするという省エネルギの運用をする場合でも、空調負荷となる室の面積は変化しない。そのため、使用者が在席する空調領域では十分な空調効果が得られず、使用者が在席しない空調領域では無駄な空調が行われるという問題がある。
【０００７】
本願の目的は、かかる課題を解決し、複数の室内空調機を１つの室内に設置して空調領域を分担させる空調方式の場合に、空調領域ごとの空調効率を効率的に高める室内空調制御システムを提供することである。
【課題を解決するための手段】
【０００８】
上記目的を達成するため、本発明に係る室内空調制御システムは、室内に複数の室内空調機を設置し、室内空調機ごとに担当する空調領域を設定して室内の空調を制御する室内空調制御システムにおいて、各空調領域における使用者の在席に関する状況を把握する在席状況把握部と、室内の天井において異なる空調領域の境界上に配置されるエアーカーテンと、エアーカーテンの動作を制御するエアーカーテン制御部と、を備え、使用者が在席しない空調領域に対して、使用者が在席する空調領域との境界上に配置されたエアーカーテンの位置のパターンを記憶する空調領域パターン記憶部と、を備え、エアーカーテン制御部は、在席状況把握部が把握した各空調領域の在席に関する状況から使用者が在席しない空調領域について、空調領域パターン記憶部に記憶された位置のエアーカーテンを動作させて室内空調を制御することを特徴とする。
【０００９】
この構成により、使用者が在席する空調領域と使用者が在席しない空調領域との境界線上のエアーカーテンを動作させて空調領域間の熱の移動をほぼ遮断させ、空調が行なわれている空調領域の空調効率を高めることができる。
【００１０】
また、室内空調制御システムは、在席状況把握部が、各空調領域の照明機器のＯＮ／ＯＦＦ情報から室内の使用者の在席状況を把握し、空調領域パターン記憶部が、照明機器がＯＮである空調領域に対して、照明設備がＯＦＦである空調領域との境界上に配置されたエアーカーテンの位置のパターンを記憶することが好ましい。これにより、空調領域の照明機器のＯＮ／ＯＦＦ情報から、その空調領域における使用者の在席状況が把握できる。
【００１１】
また、室内空調制御システムは、エアーカーテン制御部が、在席状況把握部が室内の全ての空調領域における照明機器がＯＦＦとなった情報により、室内の全ての使用者が在席しないと把握した場合には、全てのエアーカーテンの動作を停止させることが好ましい。これにより、エアーカーテンの動作を照明機器のＯＮ／ＯＦＦと連動させ、エアーカーテンの不必要な動作が防止できる。
【００１２】
また、室内空調制御システムは、各空調領域に所属する使用者のＩＤ情報を記憶する所属使用者ＩＤ記憶部を備え、在席状況把握部が、入退室管理装置から得られた室内から入退出した使用者のＩＤ情報と、所属使用者ＩＤ記憶部に記憶された使用者のＩＤとから、各空調領域に在席する使用者を把握することが好ましい。これにより、入退室管理装置からの使用者の入退出情報から、その空調領域における使用者の在席状況が把握できる。
【００１３】
また、室内空調制御システムは、エアーカーテン制御部が、在席状況把握部が入退室管理装置から得られた室内から入退出した使用者のＩＤ情報により、室内の全ての使用者が退出したと把握した場合には、全てのエアーカーテンの動作を停止させることが好ましい。これにより、エアーカーテンの動作を入退室管理装置による使用者の在席情報と連動させ、エアーカーテンの不必要な動作が防止できる。
【００１４】
また、本発明に係る室内空調制御システムは、室内に複数の室内空調機を設置し、室内空調機ごとに担当する空調領域を設定して室内の空調を制御する室内空調制御システムにおいて、各空調領域の室内空調機に関する使用状況を把握する空調状況把握部と、室内の天井において異なる空調領域の境界上に配置されるエアーカーテンと、エアーカーテンの動作を制御するエアーカーテン制御部と、各空調領域における室内空調機に関する使用状況の組み合わせごとに、動作させる境界上のエアーカーテンのパターンを記憶する空調領域パターン記憶部と、を備え、エアーカーテン制御部は、空調状況把握部が把握した各空調領域の室内空調機に関する使用状況から空調領域パターン記憶部に記憶された境界上のエアーカーテンを動作させて室内空調を制御することを特徴とする。
【００１５】
この構成により、各空調領域の空調に関する使用状況から境界線上のエアーカーテンを動作させ、それぞれ独立した室内空調機の使用状況を確保させ、各空調領域の空調効率を高めることができる。
【００１６】
また、室内空調制御システムは、空調状況把握部が、各空調領域の空調運転種別に関する情報を把握し、エアーカーテン制御部が、隣接する空調領域の一方の空調運転種別が暖房運転、冷房運転、送風運転のいずれかであり、他方の空調運転種別が、異なる運転種別である場合には、空調領域パターン記憶部に記憶されたパターンにより、それらの境界上のエアーカーテンを動作させて室内空調を制御することが好ましい。これにより、空調運転種別の異なる隣接した空調領域について、各空調領域の空調効率を高めることができる。
【００１７】
また、室内空調制御システムは、空調状況把握部が、各空調領域の空調運転種別に関する情報を把握し、エアーカーテン制御部が、隣接する空調領域の一方の空調運転種別が暖房運転、冷房運転のいずれかであり、他方の空調運転種別が、運転停止状態である場合には、空調領域パターン記憶部に記憶されたパターンにより、それらの境界上のエアーカーテンを動作させて室内空調を制御することが好ましい。これにより、室内空調機が運転中の空調領域に対し、室内空調機が停止中の空調領域と熱の移動をほぼ遮断させて空調領域の空調効率を高めることができる。
【００１８】
また、室内空調制御システムは、空調状況把握部が、各空調領域において設定された空調設定温度に関する情報を把握し、エアーカーテン制御部が、隣接する空調領域の一方の空調設定温度と他方の空調設定温度との差が予め設定された範囲を越えた場合には、空調領域パターン記憶部に記憶されたパターンにより、それらの境界上のエアーカーテンを動作させて室内空調を制御することが好ましい。これにより、空調設定温度の異なる隣接した空調領域について、各空調領域の空調効率をよりきめ細かく高めることができる。
【００１９】
さらに、室内空調制御システムは、エアーカーテン制御部が、空調状況把握部が室内空調機に関する使用状況に関する情報により、室内の全ての室内空調機がＯＦＦされたと把握した場合には、全てのエアーカーテンの動作を停止させることが好ましい。これにより、エアーカーテンの動作を室内空調機のＯＮ／ＯＦＦと連動させ、エアーカーテンの不必要な動作が防止できる。
【００２０】
さらに、室内空調制御システムは、エアーカーテン制御部が、始業時に室内の室内空調機がＯＮとなった場合には、前日の終業時と同じエアーカーテンを動作させることが好ましい。これにより、エアーカーテンの初期設定を的確に行うことができる。
【発明の効果】
【００２１】
以上のように、本発明に係る室内空調制御システムによれば、複数の室内空調機を１つの室内に設置して空調領域を分担させる空調方式の場合に、空調領域ごとの空調効率を効率的に高めることが可能となる。
【発明を実施するための最良の形態】
【００２２】
以下に、図面を用いて本発明に係る室内空調制御システムの実施の形態につき、詳細に説明する。
【００２３】
（第１実施形態）
図１に、室内空調制御システムの第１の実施形態の概略構成を示す。室内空調制御システム１は、在席状況把握部２、エアーカーテン７、空調領域パターン記憶部４、及びエアーカーテン制御部３から構成される。図１では、本実施形態の１つの例として、室１０が十字型に４等分された空調領域６ａ〜６ｄである場合を示す。各空調領域６ａ〜６ｄには、それぞれ独立してＯＮ／ＯＦＦされる室内空調機１２ａ〜１２ｄが設置される。また、各空調領域６ａ〜６ｄには、それぞれ独立した照明機器（図示せず）が設置され、照明機器スイッチ９ａ〜９ｄがそれぞれ壁面に設けられる。各空調領域６ａ〜６ｄは、使用者８が在席しているか或いは在席していない場合に分けられる。ここで、使用者８とは、室１０内のいずれかの空調領域６ａ〜６ｄに所属して職務を行う座席を所有する者をいう。
【００２４】
在席状況把握部２は、各空調領域６ａ〜６ｄの照明機器スイッチ９ａ〜９ｄのＯＮ／ＯＦＦ状況から、空調領域６ａ〜６ｄごとの使用者８の在席状況を把握する。つまり、ある空調領域６ａ〜６ｄの照明機器スイッチ９ａ〜９ｄがＯＦＦである場合には、その空調領域６ａ〜６ｄには使用者８が在席してないと判断する。一方、ある空調領域６ａ〜６ｄの照明機器スイッチ９ａ〜９ｄがＯＮである場合には、その空調領域６ａ〜６ｄには使用者８が在席していると判断する。在席状況把握部２は、各照明機器スイッチ９ａ〜９ｄのＯＮ／ＯＦＦ状況を照明制御盤１１からの信号を受信することで把握する。
【００２５】
エアーカーテン７は、室１０内の天井において異なる空調領域６ａ〜６ｄの境界上に配置される。例えば、図１では、エアーカーテン７ａ〜７ｄは、４つの空間領域６ａ〜６ｄを十字に仕切るように配置される。このエアーカーテン７ａ〜７ｄが動作すると、空気の移動に伴う熱の移動がほぼ遮断され、その両側の空間領域６の空調環境は独立して保持される。
【００２６】
空調領域パターン記憶部４は、照明機器スイッチ９がＯＮである空調領域６に対して、照明機器がＯＦＦである空調領域６との境界上に配置されたエアーカーテン７の位置のパターンを記憶する。すなわち、ある空調領域６の照明機器スイッチ９がＯＦＦとなった場合に、どのエアーカーテン７を動作すべきかのパターンを全て記憶する。
【００２７】
図２に、照明機器スイッチ９のＯＮ／ＯＦＦによるエアーカーテン７の位置のパターンを示す。図２（ａ）は、空調領域６ａの照明機器がＯＦＦであり、空調領域６ｂ，６ｃ，６ｄの照明機器はＯＮである場合を示す。この場合、空調領域パターン記憶部４は、エアーカーテン７ａ，７ｂを動作させ、照明機器スイッチ９がＯＦＦである空調領域６ａと、照明機器スイッチ９がＯＮである空調領域６ｂ，６ｃ，６ｄと、を仕切るパターンを記憶する。図２（ｂ）は、空調領域６ａ，６ｂの照明機器がＯＦＦであり、空調領域６ｃ，６ｄの照明機器はＯＮである場合を示す。この場合、空調領域パターン記憶部４は、エアーカーテン７ａ，７ｃを動作させ、照明機器スイッチ９がＯＦＦである空調領域６ａ，６ｂと、照明機器スイッチ９がＯＮである空調領域６ｃ，６ｄと、を仕切るパターンを記憶する。図２（ｃ）は、空調領域６ａ，６ｃの照明機器がＯＦＦであり、空調領域６ｂ，６ｄの照明機器はＯＮである場合を示す。この場合、空調領域パターン記憶部４は、エアーカーテン７ｂ，７ｄを動作させ、照明機器スイッチ９がＯＦＦである空調領域６ａ，６ｃと、照明機器スイッチ９ＯＮである空調領域６ｂ，６ｄと、を仕切るパターンを記憶する。
【００２８】
エアーカーテン制御部３は、照明機器スイッチ９ａ〜９ｄのＯＮ／ＯＦＦ情報から在席状況把握部２が把握した空調領域６ごとの在席に関する状況を受信する。そして、使用者８が在席しない空調領域６に対し、空調領域パターン記憶部４に記憶された位置のエアーカーテン７を動作させて室１０内の空調を制御する。これにより、空調が行なわれている空調領域６の空調効率を高めることができる。そして、エアーカーテン制御部３は、在席状況把握部２が室１０内の全ての空調領域６ａ〜６ｄにおける照明機器スイッチ９ａ〜９ｄがＯＦＦとなったことを把握した場合には、すべてのエアーカーテン７ａ〜７ｄの動作を停止させる。これにより、エアーカーテン７の動作を照明機器スイッチ９と連動させ、エアーカーテン７の不必要な動作が防止できる。
【００２９】
（第２実施形態）
図３に、室内空調制御システム１の第２の実施形態の概略構成を示す。本実施形態では、室内空調制御システム１は、在席状況把握部２、エアーカーテン７、空調領域パターン記憶部４、エアーカーテン制御部３、及び所属使用者ＩＤ記憶部１３から構成される。
【００３０】
所属使用者ＩＤ記憶部１３は、各空調領域６ａ〜６ｄに所属する使用者８のＩＤ情報を記憶する。すなわち、室１０内に所属してＩＤ番号が割り当てられた使用者８の座席が、それぞれどの空調領域６にあるかを記憶する。そして、在席状況把握部２は、入退室管理装置１４から得られた室１０内から入退出した使用者８のＩＤ情報と、所属使用者ＩＤ記憶部１３に記憶された使用者８のＩＤとから、各空調領域６ａ〜６ｄに在席する使用者８を把握する。すなわち、在席状況把握部２は、室出入口１６に設置された入退室管理装置１４から室１０内から入退出した使用者８のＩＤ情報を受信する。ここで、入退室管理装置１４は、使用者８にＩＤ番号が書き込まれたＩＤカードをカードリーダに読取らせることで個人認証を行い入退出室を管理する。従って、在席状況把握部２は、入退室管理装置１４からある使用者８が室１０を退出したという情報を受信することで、その使用者８がその所属する空調領域６には在席しないことが把握できる。
【００３１】
そして、エアーカーテン制御部３は、在席状況把握部２が把握した各空調領域６ａ〜６ｄの在席状況から、使用者８が在席しない空調領域６ａ〜６ｄに対し、空調領域パターン記憶部４に記憶された位置のエアーカーテン７を動作させて室内空調を制御する。
【００３２】
また、エアーカーテン制御部３は、在席状況把握部２が入退室管理装置１４から得られた室１０内から入退出した使用者８の情報から、室１０内の全ての使用者８が退出したと把握した場合には、すべてのエアーカーテン７の動作を停止させる。これにより、エアーカーテン７の動作を入退室管理装置１４による使用者８の在席情報と連動させ、エアーカーテン７の不必要な動作が防止できる。
【００３３】
（第３実施形態）
図４に、室内空調制御システム１の第３の実施形態の概略構成を示す。室内空調制御システム１は、空調状況把握部５、エアーカーテン７、空調領域パターン記憶部４、及びエアーカーテン制御部３から構成される。
【００３４】
空調状況把握部５は、空調領域６ごとの室内空調機１２に関する使用状況を空調制御装置１５からの信号で把握する。ここで、室内空調機１２に関する使用状況とは、各室内空調機１２ａ〜１２ｄが、運転継続中であるか運転停止中であるかをいう。また、各室内空調機１２ａ〜１２ｄが、運転継続中である場合には、暖房運転、冷房運転、送風運転のいずれかであるかをいう。そして、空調領域パターン記憶部４は、各空調領域６ａ〜６ｄにおける各室内空調機１２ａ〜１２ｄに関する使用状況の組み合わせごとに、動作させる境界上のエアーカーテン７のパターンを記憶する。
【００３５】
図５に、室内空調機１２ａ〜１２ｄの使用状況によるエアーカーテン７ａ〜７ｄの位置のパターンを示す。空調領域パターン記憶部４が記憶するパターンのうち、ある空調領域６の室内空調機１２が運転停止中であり、他の空調領域６の室内空調機１２が運転継続中の場合には、図２の照明機器スイッチ９のＯＮ／ＯＦＦの場合と同様であるため省略する。この場合、エアーカーテン制御部３は、原則として、隣接する空調領域６の一方の空調運転種別が暖房運転、冷房運転のいずれかであり、他方の空調運転種別が、運転停止状態である場合には、それらの境界上のエアーカーテン７を動作させて室内空調を制御する。
【００３６】
図５（ａ）は、空調領域６ａの室内空調機１２ａが冷房運転中であり、空調領域６ｂ，６ｃ，６ｄの室内空調機１２ｂ，１２ｃ，１２ｄは送風運転中である場合を示す。この場合、空調領域パターン記憶部４は、エアーカーテン７ａ，７ｂを動作させ、冷房運転中である空調領域６ａと、送風運転中である空調領域６ｂ，６ｃ，６ｄと、を仕切るパターンを記憶する。図５（ｂ）は、空調領域６ａの室内空調機１２ａが冷房運転中であり、空調領域６ｃの室内空調機１２ｃが暖房運転中であり、空調領域６ｂ，６ｄの室内空調機１２ｂ，１２ｄは送風運転中である場合を示す。この場合、空調領域パターン記憶部４は、エアーカーテン７ａ，７ｂ，７ｄを動作させ、冷房運転中である空調領域６ａと、暖房運転中である空調領域６ｃと、送風運転中である空調領域６ｂ，６ｄと、を仕切るパターンを記憶する。図５（ｃ）は、空調領域６ａの室内空調機１２ａは冷房運転中であり、空調領域６ｂ，６ｃの室内空調機１２ｂ，１２ｃは暖房運転中であり、空調領域６ｄの室内空調機１２ｄは送風運転中である場合を示す。この場合、空調領域パターン記憶部４は、エアーカーテン７ａ，７ｂ，７ｃ，７ｄを動作させ、冷房運転中である空調領域６ａと、暖房運転中である空調領域６ｂ，６ｃと、送風運転中である空調領域６ｄと、を仕切るパターンを記憶する。
【００３７】
上述した空調領域パターン記憶部４に記憶された空調領域パターンは、原則として、隣接する空調領域６の一方の空調運転種別が、暖房運転、冷房運転、送風運転のいずれかであり、他方の空調運転種別が、異なる運転パターンである場合には、それらの境界上のエアーカーテン７を動作させるということになる。従って、エアーカーテン制御部３は、原則として、隣接する空調領域６の一方の空調運転種別が暖房運転、冷房運転、送風運転のいずれかであり、他方の空調運転種別が、異なる運転パターンである場合には、それらの境界上のエアーカーテン７を動作させて室内空調を制御する。
【００３８】
さらに、エアーカーテン制御部３は、隣接する空調領域６の一方の空調設定温度と他方の空調設定温度との差が予め設定された範囲を越えた場合には、それらの境界上のエアーカーテン７を動作させて室内空調を制御する。すなわち、上記原則に従うと、隣接する空調領域６の両側の空調運転種別がともに暖房運転或いは冷房運転である場合には、それらの境界上のエアーカーテン７は動作されない。しかし、同じ空調運転種別であっても、双方の空調設定温度との差が予め設定された温度差の範囲を越えた場合には、その境界上のエアーカーテン７が動作される。これにより、空調設定温度の異なる隣接した空調領域６について、各空調領域６ａ〜６ｄの空調効率をよりきめ細かく高めることができる。
【００３９】
また、エアーカーテン制御部３は、空調状況把握部５が室内空調機１２に関する使用状況に関する情報により、室１０内の全ての室内空調機１２ａ〜１２ｄがＯＦＦされたと把握した場合には、全てのエアーカーテン７ａ〜７ｄの動作を停止させる。これにより、エアーカーテン７の動作を室内空調機１２のＯＮ／ＯＦＦと連動させ、エアーカーテン７の不必要な動作が防止できる。
【００４０】
さらに、エアーカーテン制御部３は、始業時に室１０内の室内空調機１２がＯＮとなった場合には、前日の終業時と同じエアーカーテン７を動作させる。これにより、エアーカーテン７の初期設定が的確に行われる。
【図面の簡単な説明】
【００４１】
【図１】本発明に係る室内空調制御システムの第１の実施形態の概略構成を示すブロック図及び説明図である。
【図２】照明機器スイッチのＯＮ／ＯＦＦによるエアーカーテンの位置のパターンを示す説明図である。
【図３】室内空調制御システムの第２の実施形態の概略構成を示すブロック図及び説明図である。
【図４】室内空調制御システムの第３の実施形態の概略構成を示すブロック図及び説明図である。
【図５】室内空調機の使用状況によるエアーカーテンの位置のパターンを示す説明図である。
【符号の説明】
【００４２】
１  室内空調制御システム、２  在席状況把握部、３  エアーカーテン制御部、４  空調領域パターン記憶部、５  空調状況把握部、６  空調領域、７  エアーカーテン、８  使用者、９  照明機器スイッチ、１０  室、１１  照明制御盤、１２  室内空調機、１３  所属使用者ＩＤ記憶部、１４  入退室管理装置、１５  空調制御装置、１６  室出入口。
【図１】
2009264619.tif 000003
【図２】
2009264619.tif 000004
【図３】
2009264619.tif 000005
【図４】
2009264619.tif 000006
【図５】
2009264619.tif 000007